(57)【特許請求の範囲】
【請求項１】
給水口から供給された水に電解質を添加する電解質添加部と、電解質が添加された水を電気分解してアルカリ性イオン水と酸性イオン水とを生成する電解槽とを具備する電解水生成装置において、電解槽の最上部に空気取入口を、最下部に水抜口をそれぞれ形成し、給水口と電解質添加部とを連通する流路から分岐して電解槽に連通するバイパス流路を、電解質添加部から流出する水の電解槽への流入口よりも高い位置に配設して成ることを特徴とする電解水生成装置。
【請求項２】
電解槽の空気取入口を、電解槽からイオン水を外部に供給する吐水パイプに連通して成ることを特徴とする請求項１に記載の電解水生成装置。
【請求項３】
電解槽内に電解隔膜にて隔てられると共にそれぞれ電極が配設された二つの電極室を形成すると共に、少なくとも一方の電極室を電極槽の容器の外装と電解隔膜とで囲まれた空間で形成し、電極槽の容器の外装に空気取入口２２と水抜口とをこの一方の電極室に連通するように形成して成ることを特徴とする請求項１又は２に記載の電解水生成装置。
【請求項４】
バイパス流路からの電解槽への水の流入量が、流入口を介した電解質添加部から電解槽への水の流入量よりも少なくなるように形成して成ることを特徴とする請求項１乃至３のいずれかに記載の電解水生成装置。
【請求項５】
電解質添加部に、電解槽へ供給される水の流出口として開口面積が異なる二つの流出口を設け、開口面積がより大きい上部流出口を、開口面積がより小さい下部流出口よりも上方に形成して成ることを特徴とする請求項１乃至４のいずれかに記載の電解水生成装備。
【請求項６】
電解質添加部の下部流出口を、電解質添加部の最下端に形成して成ることを特徴とする請求項５に記載の電解水生成装置。
【発明の詳細な説明】
【０００１】
【発明の属する技術分野】
本発明はアルカリ性イオン水及び酸性イオン水を連続して得ることができる電解水生成装置に関し、特に使用中断時の本体内部の滞留水を効率よく排出するための技術に関するものである。
【０００２】
【従来の技術】
従来から、電解水生成装置としては、水道水等の原水を浄化槽にて浄化した後、電解質添加部に供給してカルシウム塩等の電解質を添加し、更に電解槽に供給して電解して、酸性イオン水やアルカリ性イオン水を生成し、この生成したイオン水を装置外部を吐出するものがある。
【０００３】
このような一般的に従来から行われている電解水生成装置における、本体内部の滞留水の排水手段としては、電解槽の下部に電磁弁を設けて、本体に水が給水されなくなると前記電磁弁を開にして排水路と連通し電解槽内部の滞留水を排出するものであった。
【０００４】
【発明が解決しようとする課題】
しかし上記のような手段では、電解槽内部の滞留水は排水されるが、装置内部のその他の通水路や電解質添加部の滞留水が排水されないことが多い。このような状態で装置を長期間使用せず放置した場合、装置内部の滞留水の変質により一般細菌等の繁殖が危倶される。また、電解質添加部に水が滞留すると電解水生成装置の使用中断時において、電解質添加部内に滞留する水に電解質が過剰に溶解し、電解質添加部における電解質の消費量が増大するといった問題があった。
【０００５】
本発明は上記の点に鑑みてなされたものであり、電解水の生成を中断している際に装置内部の滞留水の排水を効率よく行なうことができ、しかも構造が簡便な電解水生成装置を提供することを目的とする。
【０００６】
【課題を解決するための手段】
本発明の請求項１に係る電解水生成装置は、給水口２から供給された水に電解質を添加する電解質添加部５０と、電解質が添加された水を電気分解してアルカリ性イオン水と酸性イオン水とを生成する電解槽６２とを具備する電解水生成装置１において、電解槽６２の最上部に空気取入口２２を、最下部に水抜口９５をそれぞれ形成し、給水口２と電解質添加部５０とを連通する流路から分岐して電解槽６２に連通するバイパス流路１０を、電解質添加部５０から流出する水の電解槽への流入口６８よりも高い位置に配設して成ることを特徴とするものである。
【０００７】
また請求項２に記載の発明は、請求項１の構成に加えて、電解槽６２の空気取入口２２を、電解槽６２からイオン水を外部に供給する吐水パイプ３に連通して成ることを特徴とするものである。
【０００８】
また請求項３に記載の発明は、請求項１又は２の構成に加えて、電解槽６２内に電解隔膜６３にて隔てられると共にそれぞれ電極が配設された二つの電極室を形成すると共に、少なくとも一方の電極室を電極槽６２の容器の外装と電解隔膜６３とで囲まれた空間で形成し、電極槽６２の容器の外装に空気取入口２２と水抜口９５とをこの一方の電極室に連通するように形成して成ることを特徴とするものである。
【０００９】
また請求項４に記載の発明は、請求項１乃至３のいずれかの構成に加えて、バイパス流路１０からの電解槽６２への水の流入量が、流入口６８を介した電解質添加部５０から電解槽６２への水の流入量よりも少なくなるように形成することを特徴とするものである。
【００１０】
また請求項５に記載の発明は、請求項１乃至４のいずれかの構成に加えて、電解質添加部５０に、電解槽６２へ供給される水の流出口として開口面積が異なる二つの流出口を設け、開口面積がより大きい上部流出口９３を、開口面積がより小さい下部流出口９２よりも上方に形成して成ることを特徴とするものである。
【００１１】
また請求項６に記載の発明は、請求項５の構成に加えて、電解質添加部５０の下部流出口９２を、電解質添加部５０の最下端に形成して成ることを特徴とするものである。
【００１２】
【発明の実施の形態】
以下、本発明の実施の形態を説明する。
【００１３】
本発明に係る電解水生成装置１の一例として、以下、電解水生成装置１をアルカリイオン整水器として構成した例に挙げて説明する。
【００１４】
図４に示す電解水生成装置１の装置上面には、使用者が浄水の開始や停止、生成するアルカリ性イオン水の水質の設定等の指令を入力するための操作盤２１が形成されている。また、装置上部からは、生成されたアルカリ性イオン水が吐出される吐水パイプ３が引き出されて設けられている。更に、装置上面には、電解質添加部５０を開閉する添加筒キャップ５３が露出して配設されている。
【００１５】
図１に電解水生成装置１の配管系統図を示す。
【００１６】
先ず、電解水生成装置１の構成について説明する。図１に示すように電解水生成装置１には、浄水カートリッジ４、流量センサ６０、電解質添加部５０及び電解槽６２が内装されている。
【００１７】
浄水カートリッジ４は、導入された水を浄化するものであり、活性炭やイオン交換樹脂等の浄化剤６が充填された吸着浄化槽１５と、吸着浄化槽１５よりも下流側に配設され、中空糸膜等の濾過膜５が内装された濾過槽１６とから構成されている。
【００１８】
浄水カートリッジ４の吸着浄化槽１５の上流側端部（図中では下端部）には、浄水カートリッジ４に供給される水の流入口１８が形成されており、濾過槽１６の下流側端部（図中では上端部）には、浄水カートリッジ４から導出される水の流出口１９が形成されている。
【００１９】
電解質添加部５０は、円筒形状の外筒５１の内部に、電解質を保持する内筒５２が配設されており、この内筒５２内には塩化カルシウム、乳酸カルシウム、グリセロリン酸カルシウム等のカルシウム塩や、塩化ナトリウム、塩化カリウム等の電解質が充填される。また外筒５１の上部開口には添加筒キャップ５３が着脱自在に取付けられている。ここで、外筒５１と添加筒キャップ５３とは、Ｏリングを介して嵌合されて水密構造となっており、また添加筒キャップ５３の嵌合を脱離して内筒５２を取り出し、電解質の補充ができるようになっている。
【００２０】
電解質添加部５０の外筒５１の下端面には、電解質添加部５０に供給される水の流入口５４が形成されている。また電解質添加部５０の外筒５１の側面には、電解質添加部５０から導出される水の流出口として上部流出口９３と下部流出口９２とが形成されている。ここで上部流出口９３は外筒５１の側面の上部に、下部流出口９２は外筒５１の側面の最下端にそれぞれ形成されており、上部流出口９３の開口面積は、下部流出口９２の開口面積よりも大きくなるように形成されている。この上部流出口９３と下部流出口９２の開口面積の比は適宜設定されるが、例えば下部流出口９２の開口面積を上部流出口９３の開口面積の０.１倍とするものである。
【００２１】
電解槽６２の内部は、容器内部が電解隔膜６３によって陽極室６４と陰極室６５に仕切られており、陽極室６４には陽極６６、陰極室６５には陰極６７が配置されている。ここで、図示の例では、陽極室６４は容器内奥に形成されると共に、陰極室６５は陽極室６４の周りを取り囲むように形成されており、陰極６７は電解隔膜６３を介して陽極６６を取り囲むように円筒状に形成されている。従って、陰極室６５は電解槽６２の容器の外装と電解隔膜６３とによって囲まれた空間で形成され、一方、陽極室６４は電解隔膜６３のみによって囲まれた空間にて形成されている。この陰極６７及び陽極６６は、この電極６６，６７間に電圧を印加するための電源に接続されている。
【００２２】
電解槽６２の容器の外装には、水の排出口として排出口７０と水抜口９５とが形成されており、排出口７０は、容器の上端面に、電解隔膜６３にて形成された連通路２３を介して陽極室６４と連通するように形成され、水抜口９５は容器の側面の最下端に陰極室６５と流路を介さず直接連通して形成されている。またこの容器の外装には、陰極室６５から供給される水の流出口６９が、容器の上端面に陰極室６５と流路を介さず直接連通するように形成されており、この流出口６９は、空気取入口２２を兼ねるものとして形成されている。ここで、水抜口９５の開口面積は、流出口６９の開口面積よりも小さくなるように形成するものである。この開口面積の比は装置により適宜設定されるが、例えば水抜口９５の開口面積の開口面積を、流出口６９の開口面積の約０．１倍とするものである。
【００２３】
更にこの電解槽６２の容器の外装には、電解槽６２へ供給される水の流入口として、流入口６８とバイパス口９４とが形成されている。この流入口６８とバイパス口９４とは、後述するように、水の流入口としての機能だけではなく空気の流通口としての機能も有する。流入口６８は電解槽６２の容器の側面下部に、水抜口９５よりも上方の位置に形成されており、陰極室６５と陽極室６４の双方に連通している。ここで、図４に示すように、流入口６８はその開口の上方側において、電解隔膜６３にて構成される連通路２４を介して陽極室６４と連通し、開口の下方側において陰極室６５と流路を介さず直接連通している。一方、バイパス口９４は、電解槽６２の容器の側面の中程に、流入口６８よりも上方位置に形成され、従って水抜口９５よりも上方に形成されている。このバイパス口９４は電極槽６２内の陰極室６５のみに連通している。
【００２４】
上記のようにして構成される電解槽６２においては、電極槽６２の容器の外装に空気取入口２２（吐出口６９）と水抜口９５とを陰極室６５に連通するように形成したものであり、電極槽６２の容器の外装に形成された空気取入口２２と水抜口９５とが電極槽６２内に別途に流路を形成することなく直接に電極槽６２内に連通されて、装置構成が簡便になるものとなっている。
【００２５】
ここで、電解質添加部５１は、電解槽６２の流入口６８及びバイパス口９４よりも上方に配設されており、そのため、電解質添加部５１に形成されている流入口５４、上部流出口９３及び下部流出口９２は、いずれも、流入口６８及びバイパス口９４よりも上方に配置されている。
【００２６】
電解水生成装置１に関する配管構成を説明する。
【００２７】
水道の蛇口等の取水栓７と、電解質供給装置１の給水口２とは、給水ホース８によって接続されている。
【００２８】
装置内部においては、給水口２から導出された取水流路９は、浄水カートリッジ４の吸着槽１５の下部に流入口１８にて接続されている。
【００２９】
浄水カートリッジ４の濾過槽１６の流出口１９から導出された給水流路１７の配管途中には、給水流路１７における水の流量を測定する流量センサ６０が配設されている。この流量センサ６０は、例えばバネ力によって水流とは反対方向の回動力が付勢された回動自在な羽体と、この羽体が給水流路１７を流通する水の流圧によってバネ力に抗して回動された際の、その回動角度を測定する角度センサとによって構成されたものを用いることができる。給水流路１７の下流側は、給水主流路１４とバイパス流路１０とに分岐されている。ここで、バイパス流路１０の流方向と直交する断面積は、給水主流路１４の流方向と直交する断面積よりも小さくなるように形成されるものであり、例えばバイパス流路１０の流方向と直交する断面積を、給水主流路１４の流方向と直交する断面積の約０．１倍に形成するものである。
【００３０】
給水主流路１４の下流側は電解質添加部５０の流入口５４に接続されており、バイパス流路１０の下流側は電解槽６２のバイパス口９４に接続されている。ここで、給水主流路１４は給水流路１７の分岐点から上方に引き出されて流入口５４と接続されている。一方、バイパス流路１０は給水流路１７の分岐点から側方に略水平に引き出されてバイパス口９４に接続され、電解槽６２の流入口６８よりも高い位置に配設されている。
【００３１】
電解質添加部５０の上部流出口９３からは、主供給路１３が下方に向けて導出され、また電解質添加部５０の下部流出口９２からは副供給路１２が側方に向けて略水平に導出されている。主供給路１３と副供給路１２の流方向と直交する断面積の関係は、上部流出口９３と下部流出口９２との開口面積の関係と同様に、主供給路１３の方が副供給路１２よりも大きくなるように形成されている。この主供給路１３と副供給路１２は下流側において合流し、合流されて形成された添加水供給流路１１の下流側は下方に導出されて、電解槽６２の流入口６８に接続されている。この添加水供給流路１１の流方向と直交する断面積は、上記のバイパス流路１０の流方向と直交する断面積よりも大きくなるように形成されている。
【００３２】
電解槽６２の上部流出口６９からは吐水パイプ３が上方に向けて導出されており、この吐水パイプ３は装置外部に導出され、その下流側の先端は外部に向けて開口されている。また電解槽６２の排出口７０からは排出管７２が上方から側方、更に下方に向けて導出されており、更にこの排出管７２は装置外部に導出され、その先端は外部に向けて開口されている。また電解槽６２の水抜口９５からは、滞留水排出流路２０が側方に向けて導出されており、その下流側の端部が排水管７２の配管途中に合流するように接続されている。この滞留水排出流路２０の流方向と直交する断面積は、吐水パイプ３の流方向と直交する断面積よりも小さくなるように形成されている。
【００３３】
次に、本発明の電解水生成装置１の使用方法と装置内の水の流れについて説明する。
【００３４】
先ず、電解水生成装置１にて通水を行う場合の動作を、図１の配管系統図を示して説明する。尚、図中では水の流れを実線矢印で示して表示している。
【００３５】
まず使用者は装置上面の操作盤２１を操作して、浄水の開始の指令や、アルカリ性イオン水の水質の設定を行ない、また、給水栓７を解放して水道水等の原水を給水ホース８を通じて電解水生成装置１の給水口２へ供給する。
【００３６】
このとき、給水口２に送り込まれた原水は、取水流路９を通じて流入口１８から浄水カートリッジ４へ送られ、吸着槽１５の浄化剤６にて、残留塩素、かび臭、トリハロメタン、農薬等が除去される。続いて濾過槽１６の濾過膜５を通過することにより濾過されて微細な濁りや細菌等が除去される。このように原水を、浄水カートリッジ４内を通過させて濾過することにより、原水が浄水処理されて浄水が生成される。
【００３７】
生成された浄水は、流出口１９から給水流路１７に流出するが、この給水流路１７を流通する際に流量センサ６０を通過する。この流量センサ６０によって給水流路１７における浄水の通水が検知されたら、電解槽６２における陰極６７と陽極６６との間への電圧の印加が自動制御によって開始される。
【００３８】
給水流路１７を流通する浄水は、大部分が主給水流路１４を通じて流入口５４から電解質添加部５０に供給され、残りの一部はバイパス流路１０を通じてバイパス口９４から電解槽６２の陰極室６５に供給される。
【００３９】
電解質添加部５０に供給された浄水には、溶解した電解質が付与される。電解質を付与された水は、大部分が上部流出口９３から主供給路１３を介して、また、残りの少量の一部が下部流出口９２から副供給路１２を介して、共に添加水供給流路１１に流入し、流入口６８から電解槽６２の陰極室６５及び陽極室６４に供給される。このとき電解質添加部５０内には、上部流出口９３の形成位置まで水が供給された後にこの水が主として上部流出口９３から流出されることとなり、電解質添加部５０内にてある程度滞留して電解質が充分に付与された水が電解質添加部５０から流出される。
【００４０】
このとき、浄水カートリッジ４内を通過した浄水の大部分は電解質添加部５０を通過してから電解槽６２へ供給されることとなり、電解槽６２に供給される水中の電解質濃度が充分に確保されることとなって、電解槽６２における電気分解が効率よく行なわれることとなる。
【００４１】
そして、電気分解によって、陰極室６５でアルカリ性イオン水が生成されると共に、陽極室６４で酸性イオン水が生成される。陰極室６５で生成されたアルカリ性イオン水は、水抜口９５と流出口６９のうち主として開口面積が大きい流出口６９から吐水パイプ３に流入し、装置外部に導出される。一方、陰極室６４で生成された酸性イオン水は、排出口７０を通じて排出管７２から装置外に排出されるものである。
【００４２】
尚、上記の動作において、電解槽６２において印加される電圧の向きを逆向きにすると、陰極室６５が陽極室としての機能を果たして酸性イオン水が生成されると共に、陽極室６４が陰極室としての機能を果たしてアルカリ性イオン水が生成される。このときは酸性水が主として流出口６９から吐水パイプ３に流入して装置外部に導出され、アルカリ水が排出口７０を通じて排出管７２から装置外に排出されるものである。
【００４３】
次に、装置内への水の供給を停止した場合の動作について説明する。図２に水を止めた時の第一段階の配管系統図、図３に水を止めた時の第二段階の配管系統図を示す。尚、図中で滞留水の流れを実線矢印、空気の流れを点線矢印で表示している。
【００４４】
使用者が給水栓７を閉止することにより電解水生成装置１への給水が停止されると、給水流路１７における水の流通が停止されて、流量センサ６０が止水状態を検知しする。このとき、自動制御により、必要に応じて電極６６,６７間に逆方向の電圧が印加されて電極６６,６７の表面のスケールが除去された後、電解槽６２における電極６６,６７間への電圧の印加が停止される。
【００４５】
このとき、装置内の浄水カートリッジ４から下流側の流水路、電解質添加筒５０、電解槽６２に滞留している滞留水の排水が開始される。
【００４６】
先ず図２に示すように、電解槽６の陰極室６５が吐水パイプ３を通じて外気と連通することにより、吐水パイプ３を通じて空気取入口２２（吐出口６９）から空気が供給されると共に、陰極室６５内の滞留水が水抜口９５から滞留水排出流路２０を通じて排水管７２に流入し、装置外部に排出される。また陽極室６４内の滞留水は、電解隔膜６３を介して陽極室６５に流入し、あるいは一旦流入口６８まで逆流した後、流入口６８から陰極室６５内に送られて、陰極室６５内の滞留水と共に水抜口９５から滞留水排出流路２０を通じて排水管７２に流入し、装置外部に排出される。
【００４７】
このとき、陰極室６５において空気取入口２２（吐出口６９）からの空気の流入と水抜口９５からの滞留水の排出とが行なわれるものであるから、滞留水の排水のための空気の流通を陰極室６５と陽極室６４との間で行なうことがなくなって、滞留水の排水がスムーズに行なわれるものである。また、流入口６８はその開口の上方側において陽極室６４と連通し、開口の下方側において陰極室６５と連通しているので、陽極室６４内の滞留水は、陰極室６５内にスムーズに流入することとなる。
【００４８】
このようにして電解槽６２内の滞留水の排水が進み、電解槽６２内の滞留水の水面が電解槽６２側面のバイパス口９４よりも下方に達したら、電解槽６２内の空気がバイパス口９４からバイパス流路１０に流入し、流入口５４から電解質添加部５０の内部に送り込まれる。この時、電解質添加部５０の内部の滞留水は、電解槽６２における水抜口９５からの滞留水の排出に伴う水流によるアスピレーション効果により、下部流出口９２から副供給路１２、添加水供給流路１１を通じ、流入口６８から電解槽６２内へ引き込まれる。ここで下部流出口９２は電解質添加部５０の下端部に形成されているので、電解質添加部５０からの滞留水の排出が効率良く行なわれると共に、電解質添加部５０内の滞留水が全て排出されることとなる。このように電解質添加部５０から電解槽６２に供給された滞留水は、元々電解槽６２に滞留していた滞留水と共に、水抜口９５から滞留水排出流路２０を通じて排水管７２に流入し、装置外部に排出される。
【００４９】
図２に示す状態から、更に電解槽６２内の滞留水の排水が進み、電解槽６２内の滞留水の水面が流入口６８よりも下方に達したら、図３に示す状態に移行する。このときは、電解槽６２内の空気が流入口６８から添加水供給流路１１を通じ、更に主供給路１３を通じて上部流出口９３から電解質添加部５０に供給される。それに伴って、電解質添加部５０に滞留している滞留水が、流入口５４から給水主流路１４に逆流し、更にバイパス流路１０を通じてバイパス口９４から電解槽６２の陰極室６５に流入する。このように電解質添加部５０から電解槽６２に供給された滞留水は、元々電解槽６２に滞留していた滞留水と共に、水抜口９５から滞留水排出流路２０を通じて排水管７２に流入し、装置外部に排出される。
【００５０】
この図３に示す過程においては、電解質添加部５０に滞留している滞留水は、電解質添加部５０の下端面に形成されている流入口５４を通じて全て電解槽６２に流入し、更に電解槽６２内の滞留水は電解槽６２の側面の最下端に形成されている水抜口９５を通じて全て排出されることとなり、この結果、電解質添加部５０と電解槽６２の内部に滞留していた滞留水は、全て装置外に排出されることとなる。
【００５１】
上記のように、給水口からの装置内への水の供給が停止されると、速やかに装置内の滞留水が排出されるものであり、そのため装置内部における滞留水の変質による一般細菌等の繁殖を防止し、また、電解質添加部５０内における滞留水への電解質の溶解を防止して、電解質添加部５０における電解質の消費量を抑制することができるものである。しかも、上記の動作においては、給水口２からの装置内への水の供給が停止されると、使用者が開閉弁の開閉動作のような操作を特に行なわなくても、自動的に電解槽６２や電解質添加部５０に滞留水の排水のための流路と空気の流入路とが形成されて、滞留水の排水を行なうことができるものである。
【００５２】
尚、本実施形態では流入口６８を水抜口９５よりも上方に形成したため、図２に示す状態から図３に示す状態を経て電解質添加部５０及び電極槽６２内の滞留水が全て排水されたものであるが、流入口６８を水抜口９５と同一高さに形成してもよく、この場合は、図２に示す流路にて電解質添加部５０及び電極槽６２内の滞留水が全て排水されることとなる。このときは、電解質添加部５０内の滞留水は、その最下端に形成された下部流出口９２から全て電解槽６２に流出するものである。
【００５３】
【発明の効果】
上記のように本発明の請求項１に係る電解水生成装置は、給水口から供給された水に電解質を添加する電解質添加部と、電解質が添加された水を電気分解してアルカリ性イオン水と酸性イオン水とを生成する電解槽とを具備する電解水生成装置において、電解槽の最上部に空気取入口を、最下部に水抜口をそれぞれ形成し、給水口と電解質添加部とを連通する流路から分岐して電解槽に連通するバイパス流路を、電解質添加部から流出する水の電解槽への流入口よりも高い位置に配設したため、給水口からの装置への水の供給が停止された時、空気取入口から電解槽内に空気が流入するに従って電解槽に滞留している水は水抜口から排出され、また電解質添加部に滞留している水はバイパス流路を介して電解槽から電解質添加部に空気が流入するに従って電解質添加部から電解槽の流入口を通じて電解槽に供給され、電解槽の水抜口より排出されることとなり、電解槽及び電解質添加部に滞留している水を装置外に排出して、装置内部の滞留水の変質による一般細菌等の繁殖を防止し、また、電解質添加部内における滞留水への電解質の溶解を防止して、電解質添加部における電解質の消費量を抑制することができるものである。
【００５４】
また請求項２に記載の発明は、請求項１の構成に加えて、電解槽の空気取入口を、電解槽からイオン水を外部に供給する吐水パイプに連通したため、給水口から電解水生成装置へ水が供給されている間は電解槽の空気取入口はイオン水の電解槽からの流出口として機能して、イオン水を吐水パイプへと供給することができ、また、給水口からの装置への水の供給が停止された時は、イオン水の流通が停止された吐水パイプには外部から空気が侵入して、この空気が空気取入口を介して電解槽内へ流入するものであり、空気取入口に開閉弁等を設けて空気取入口の開閉動作を行なわなくても、装置への水の供給が停止された際に空気取入口から電解槽へ空気を流入させて滞留水の排水を行なうことができるものである。
【００５５】
また請求項３に記載の発明は、請求項１又は２の構成に加えて、電解槽内に電解隔膜にて隔てられると共にそれぞれ電極が配設された二つの電極室を形成すると共に、少なくとも一方の電極室を電極槽の容器の外装と電解隔膜とで囲まれた空間で形成し、電極槽の容器の外装に空気取入口と水抜口とをこの一方の電極室に連通するように形成したため、電極槽の容器の外装に形成された空気取入口と水抜口とが電極槽内に別途に流路を形成することなく直接に電極槽内に連通されて、装置構成が簡便になるものであり、しかも、電解槽から滞留水を排出する際に同一の電極室において空気取入口からの空気の流入と水抜口からの滞留水の排出とが行なわれることとなって、滞留水の排水がスムーズに行なわれるものである。
【００５６】
また請求項４に記載の発明は、請求項１乃至３のいずれかの構成に加えて、バイパス流路からの電解槽への水の流入量が、流入口を介した電解質添加部から電解槽への水の流入量よりも少なくなるように形成したため、電解槽に供給される水中の電解質濃度を充分に確保して、電解槽にて効率よく電気分解によりイオン水の生成を行なうことができるものである。
【００５７】
また請求項５に記載の発明は、請求項１乃至４のいずれかの構成に加えて、電解質添加部に、電解槽へ供給される水の流出口として開口面積が異なる二つの流出口を設け、開口面積がより大きい上部流出口を、開口面積がより小さい下部流出口よりも上方に形成したため、給水口から装置内に水が供給されている時には、電解質添加部内に充分な量の水が供給されてこの水に充分に電解質が添加されてから、この電解質を多く含む水を主として上部流出口を通じて電解槽に供給することができて、電解槽における充分な電解効率を維持することができ、また吸水口からの装置内への水の供給が停止されたときには、電解質添加部内の滞留水を主として下部流出口から電解槽へ送ることができ、電解質添加部からの滞留水の排出を効率よく行なうことできるものである。
【００５８】
また請求項６に記載の発明は、請求項５の構成に加えて、電解質添加部の下部流出口を、電解質添加部の最下端に形成したため、吸水口からの装置内への水の供給が停止され、下部流出口から電解質添加部内の滞留水を排出する際に、電解質添加部内の滞留水を完全に排出することができるものである。
【図面の簡単な説明】
【図１】本発明の実施の形態の一例における動作を示す概略の断面図である。
【図２】同上の他の動作を示す概略の断面図である。
【図３】同上の更に他の動作を示す概略の断面図である。
【図４】同上の一部の断面図である。
【図５】同上の外観を示す斜視図である。
【符号の説明】
１  電解水生成装置
２  給水口
３  吐水パイプ
１０  バイパス流路
２２  空気取入口
５０  電解質添加部
６２  電解槽
６３  電解隔膜
６８  流入口
９２  下部流出口
９３  上部流出口
９５  水抜口
【図１】
0003752941.tif 000002
【図２】
0003752941.tif 000003
【図３】
0003752941.tif 000004
【図４】
0003752941.tif 000005
【図５】
0003752941.tif 000006